(57)【特許請求の範囲】
【請求項１】
平行な２辺を有する略長方形状の磁性体基板と、この磁性体基板の裏面側に配置された板状の共通電極と、この共通電極外周部の３方向に延設された第１の線路導体と第２の線路導体と第３の線路導体と、前記第１の線路導体に設けられて前記磁性体基板の表面側に折曲される第１の中心導体と、前記第２の線路導体に設けられて前記磁性体基板の表面側に折曲される第２の中心導体と、前記第３の線路導体に設けられて前記磁性体基板の表面側に折曲される第３の中心導体とが具備されてなり、
前記磁性体基板の平行な２辺の各端部側に前記各中心導体を折曲するための受面が形成され、前記第１の中心導体と第２の中心導体とが、前記磁性体基板の前記受面を介して前記磁性体基板の表面側に折曲され、かつ、この磁性体基板の表面側において前記磁性体基板の対角線に沿うように配置され、
前記共通電極の周縁部が前記磁性体基板の周縁部に添わされて前記共通電極の外形形状が前記磁性体基板の外形形状に沿う形状とされ、
前記第１の線路導体が前記共通電極に接続された部分と、前記第２の線路導体が前記共通電極に接続された部分と、前記第３の線路導体が前記共通電極に接続された部分のうち、少なくとも１つの部分の両側に、前記共通電極の周縁部を刻設してなる凹部が形成されて前記少なくとも１つの線路導体の線路長が延長されてなることを特徴とする非可逆回路素子。
【請求項２】
前記平行な２辺が前記磁性体基板の長手方向の辺を形成し、前記線路導体に接続される全てのコンデンサ基板が前記平行な２辺に沿って配置されてなることを特徴とする請求項１に記載の非可逆回路素子。
【請求項３】
前記第１の線路導体の幅方向中央部と前記第２の線路導体の幅方向中央部にそれらの長さ方向に沿うスリット部が形成されて前記第１の線路導体と前記第２の線路導体が個々に２本の分割導体に分割されてなることを特徴とする請求項１または２に記載の非可逆回路素子。
【請求項４】
前記分割導体が前記磁性体基板の表面側に折曲されて前記共通電極の表面側において重ねられ、各分割線路どうしの重ねられた部分が前記共通電極の表面側において平面視的に位置ずれされて配置されたことを特徴とする請求項３に記載の非可逆回路素子。
【請求項５】
前記磁性体基板の表面側において前記第３の中心導体が前記第１の中心導体及び第２の中心導体に対して平面視重ねられ、前記第１の中心導体と第２の中心導体に対する前記第３の中心導体の重なり部分の全てが平面視的に位置ずれされてなることを特徴とする請求項４に記載の非可逆回路素子。
【請求項６】
前記第３の中心導体が前記磁性体基板の表面側において平面視前記第１の中心導体と第２の中心導体と交差するように折曲もしくは湾曲されて重ねられ、前記第３の線路導体が２本の分割導体に分けられ、前記２本の分割導体に非平行部分が含まれてなることを特徴とする請求項１〜５のいずれかに記載の非可逆回路素子。
【請求項７】
前記第３の中心導体が前記磁性体基板の表面側において平面視前記第１の中心導体と第２の中心導体と交差するように折曲もしくは湾曲されて重ねられ、前記第３の線路導体が２本の分割導体に分けられ、前記２本の分割導体が並行状態とされたまま折曲もしくは湾曲されてなることを特徴とする請求項１〜５のいずれかに記載の非可逆回路素子。
【請求項８】
前記コンデンサ基板のうち、少なくとも１つが前記複数の線路導体に接続された共通のコンデンサ基板とされたことを特徴とする請求項２に記載の非可逆回路素子。
【請求項９】
前記請求項１〜８のいずれかに記載の非可逆回路素子を備えたことを特徴とするアイソレータ。
【請求項１０】
前記請求項１〜８のいずれかに記載の前記第１の線路導体と前記第２の線路導体と前記第３の線路導体にコンデンサ基板が接続され、前記３つの線路導体のうちの１つに抵抗素子が接続され、前記磁性体基板と前記線路導体と前記コンデンサ基板と前記抵抗素子がケース体に収納されてなることを特徴とするアイソレータ。
【発明の詳細な説明】
【０００１】
【発明の属する技術分野】
本発明は、マイクロ波帯などの高周波帯域で使用されるアイソレータ、サーキュレータ等に用いられる非可逆回路素子に関する。
【０００２】
【従来の技術】
この種のアイソレータに用いられる非可逆回路素子は、例えば図１３に示す構造の磁性組立体５０が備えられている。この磁性組立体５０は、矩形板状のフェライトからなる磁性体５５と、その下面に添わせて設けられた金属板からなる共通電極５４と、この共通電極５４から放射状に３方向に延出形成されて磁性体５５の表面側に巻き掛けられた第１の中心導体５１と第２の中心導体５２と第３の中心導体５３とから構成されている。
前記第１の中心導体５１と第２の中心導体５２と第３の中心導体５３は互いに磁性体５５に沿って折り曲げられ、磁性体５５の表面側において互いに略１２０゜の交差角度でもって重ねられている。なお、図面では省略されているが、中心導体５１、５２、５３どうしは絶縁シートにより磁性体５５の表面側において個々に絶縁されている。
また、先の３つの中心導体５１、５２、５３の先端部側は磁性体５５の側方に突出するように配置されて各ポート部Ｐ１、Ｐ２、Ｐ３とされている。そして、各ポート部Ｐ１〜Ｐ３に図示略の整合用のコンデンサを接続し、ポート部の１つに先のコンデンサを介して終端抵抗を接続し、これらを永久磁石とともに磁気回路を構成する磁性体ヨーク内に収納し、磁性組立体５０に別途配置した永久磁石で直流磁界を印加できる構成とすることでアイソレータが構成される。
【０００３】
前述の各中心導体５１〜５３は、図１４の展開図で示すようにアース部となる共通電極５４において連設一体化され、共通電極５４から３方向に突出形成されていて、これらの中心導体５１〜５３は前記磁性体５５に対して所定の角度で精度良く組み付けられるように図１４の折曲部Ｘの位置において屈曲されるように構成されている。
【０００４】
【発明が解決しようとする課題】
前記従来構成のアイソレータにあっては、中心導体５１〜５３の磁性体５５への組み付け精度、導体間隔、中心導体の交差角度が非可逆回路素子としての電気的特性を決定する重要な要素であり、これらの値が設計値からわずかでも変動すると、アイソレータとしての性能劣化の原因となる。
特にこの種のアイソレータは近年の高周波回路の小型化に伴い、全体として４〜５ｍｍ角の大きさに形成されるようになってきているが、このような微細な部品において先の中心導体５１〜５３の磁性体５５への組み付け精度、導体間隔、交差角度を厳格に調整するこは、図１３と図１４に示す構造の非可逆回路素子５０においては難しい状況になってきている。
【０００５】
例えば、前記従来構成の非可逆回路素子５０にあっては、中心導体５１〜５３を磁性体５５の側面に沿って正確に図１４の折曲部Ｘの位置において折り曲げて磁性体５５に添わせる必要があるが、全体として４〜５ｍｍ角の大きさのアイソレータにおいて中心導体５１〜５３の折曲部Ｘの位置がわずかでもずれると、磁性体５５の表面側において交差させる中心導体５１〜５３の交差角度が大きく変動することとなる。また、中心導体５１〜５３の折曲部Ｘを磁性体５５の側面のエッジ部分に添わせて正確に位置合わせして慎重に折り曲げる必要があり、磁性組立体５０の組み立て作業性が悪いものであった。
【０００６】
本発明は以上の背景に基づいてなされたもので、磁性体に対して中心導体を正確かつ容易に巻き付けて磁性組立体を得ることができ、よって特性が良好な非可逆回路素子とアイソレータを提供することを目的の１つとする。
更に本発明は、横長型あるいは縦長型の磁性体基板の長手方向に隣接させてコンデンサ基板を効率よく配置することで小型化したアイソレータを提供することを目的の１つとする。
【０００７】
【課題を解決するための手段】
本発明は前記課題を解決するために、平行な２辺を有する略長方形状の磁性体基板と、この磁性体基板の裏面側に配置された板状の共通電極と、この共通電極外周部の３方向に延設された第１の線路導体と第２の線路導体と第３の線路導体と、前記第１の線路導体に設けられて前記磁性体基板の表面側に折曲される第１の中心導体と、前記第２の線路導体に設けられて前記磁性体基板の表面側に折曲される第２の中心導体と、前記第３の線路導体に設けられて前記磁性体基板の表面側に折曲される第３の中心導体とが具備されてなり、前記磁性体基板の平行な２辺の各端部側に前記各中心導体を折曲するための受面が形成され、前記第１の中心導体と第２の中心導体とが、前記磁性体基板の前記受面を介して前記磁性体基板の表面側に折曲され、かつ、この磁性体基板の表面側において前記磁性体基板の対角線に沿うように配置され、前記共通電極の周縁部が前記磁性体基板の周縁部に添わされて前記共通電極の外形形状が前記磁性体基板の外形形状に沿う形状とされ、前記第１の線路導体が前記共通電極に接続された部分と、前記第２の線路導体が前記共通電極に接続された部分と、前記第３の線路導体が前記共通電極に接続された部分のうち、少なくとも１つの部分の両側に、前記共通電極の周縁部を刻設してなる凹部が形成されて前記少なくとも１つの線路導体の線路長が延長されてなることを特徴とする。
第１と第２の中心導体が磁性体基板の一面側から表面側にかけて受面を介して折曲されて巻き込まれているので、中心導体が受面を介して正確な位置で確実に折曲されて磁性体基板の表面側に巻き込まれる結果、磁性体基板に対して中心導体を確実な位置に設置できる。即ち、中心導体が受面を介して折り曲げられる結果、中心導体の折り曲げ加工に伴う変形も抑制されるので、各中心導体が所定の角度で磁性体基板に対して折り曲げられる。
よって特性が良好で安定化された高品質の非可逆回路素子が得られ、非可逆回路素子の組立作業の生産性も向上する。
線路導体の付け根の部分に対応する共通電極の周縁部に凹部を刻設することで線路導体の見かけの線路長が長くなる。線路導体の線路長が長くなることで線路導体のインダクタンスが大きくなり、共振容量が相対的に小さくなるので非可逆回路素子の小型化に寄与する。また、同じインダクタンスを確保するならば磁性体基板の面積を小さくできる結果、非可逆回路素子の小型化に寄与する。
共通電極の全体形状を磁性体基板に近い形状とすることで共通電極を磁性体基板の一面側に収まりよく配置できる。
【０００８】
本発明は前記課題を解決するために、請求項１に記載の平行な２辺が前記磁性体基板の長手方向の辺を形成し、前記線路導体に接続される全てのコンデンサ基板が前記平行な２辺に沿って配置されてなることを特徴とする。
コンデンサ基板が磁性体基板の長手方向に沿ってその幅方向両側に配置されていると、磁性体基板の両側に収まり良くコンデンサ基板を配置することができ、その結果として磁性体基板とコンデンサ基板を含めた非可逆回路素子全体としての小型化をなし得る。このコンデンサ基板が細長い形状であれば、長い形状の磁性体基板の両側に設置しても、非可逆回路素子全体としての幅を不用に大きくすることがなく、小型化をなし得る。
【００１０】
本発明は前記課題を解決するために、前記第１の線路導体の幅方向中央部と前記第２の線路導体の幅方向中央部にそれらの長さ方向に沿うスリット部が形成されて前記第１の線路導体と前記第２の線路導体が２本の分割導体に分けられてなることを特徴とする。
各線路導体が２本の分割導体に分割されていると、相互インダクタンスが発生し、線路導体として同じ導体長でも、分割した構成の方がより大きなインダクタンスが得られる。
【００１１】
本発明は前記課題を解決するために、前記分割導体が前記磁性体基板の他面側に折曲されて前記共通電極の表面側において重ねられ、各分割導体どうしの重ねられた部分が前記共通電極の表面側において平面視的に位置ずれされて配置されたことを特徴とする。
分割導体どうしの重ねられた部分が平面視的に位置ずれされて配置されるので、磁性体基板の他面側において分割導体が均等に収まり良く配置される。
【００１２】
本発明は前記課題を解決するために、前記磁性体基板の表面側において前記第３の中心導体が前記第１の中心導体及び第２の中心導体に対して平面視重ねられ、前記第１の中心導体と第２の中心導体に対する前記第３の中心導体の重なり部分の全てが平面視的に位置ずれされてなることを特徴とする。
分割導体どうしが３本重ねられる部分が発生しないので、磁性体基板の表面側において分割導体の２本重なり部分と３本重なり部分の発生に起因する凹凸の発生が少なくなり、磁性体基板表面側における凹凸が少なくなる。
【００１３】
本発明は前記課題を解決するために、前記第３の中心導体が前記磁性体基板の表面側において平面視前記第１の中心導体と第２の中心導体と交差するように折曲されて重ねられ、前記第３の線路導体が２本の分割導体に分けられ、前記２本の分割導体がそれらに非平行部分を含むことを特徴とする。
更に本発明は、前記第３の中心導体が前記磁性体基板の表面側において平面視前記第１の中心導体と第２の中心導体と交差するように折曲もしくは湾曲されて重ねられ、前記第３の線路導体が２本の分割導体に分けられ、前記２本の分割導体が並行状態とされたまま折曲もしくは湾曲されてなることを特徴とする。
【００１４】
第３の線路導体において分割導体が互いに非平行となる部分を含むので、第３の線路導体が磁性体基板と重なる部分の長さが実質的に長くなり、広帯域な通過特性を有する非可逆回路素子が提供される。また、低周波化するためには各線路導体を長くしてインダクタンスを大きくする必要があるが、本発明においては、第３の中心導体において、第３の線路導体が長さ方向中央部側において互いに離れる方向に折曲（屈曲）もしくは湾曲されてなるが、もしくは、互いに平行でかつ折曲もしくは湾曲されてなるが、第３の線路導体の長さが実質的に長くなって、インダクタンスが大きくなり、低周波化と小型化を両立することができる。
【００１５】
本発明は前記課題を解決するために、前記コンデンサ基板のうち、少なくとも１つが前記複数の線路導体に接続された共通のコンデンサ基板とされたことを特徴とする。
共通のコンデンサ基板とすることで必要とする容量を小さなコンデンサ占有面積で稼ぐことができる。
【００１６】
本発明は前記課題を解決するために、前記磁性体基板が、相対向する２辺の各端部側に斜面状の受面を有する平面視略矩形状にされてなることを特徴とする。平面視略矩形状の磁性体基板として斜面状の受面とすることで、受面を介して正確な位置で確実に中心導体を折曲できて磁性体基板の他面側に巻き込むことができる結果、磁性体基板に対して中心導体を確実な位置に設置できる。即ち、中心導体を受面を介して確実に折り曲げることができる結果、中心導体の折り曲げ加工に伴う変形も抑制できるので、各中心導体が所定の角度で磁性体基板に対して折り曲げられる。
よって特性が良好で安定化された高品質の非可逆回路素子が得られ、非可逆回路素子の組立作業の生産性も向上する。
【００１７】
本発明は前記課題を解決するために、前記共通電極が、相対向する２辺とこれら２辺の各端部どうしを接続する１つ以上の辺とから区画される形状の平面視横長型あるいは縦長型とされ、その周縁部の少なくとも一部を前記磁性体基板の周縁部に添わせて磁性体基板の一面側に配置されてなることを特徴とする。
共通電極の一部形状を磁性体基板に近い形状とすることで共通電極を磁性体基板の一面側に収まりよく配置できる。
【００１９】
本発明のアイソレータは前記課題を解決するために、先のいずれかに記載の構成の非可逆回路素子を備えたことを特徴とする。
これにより、先の種々の特徴を有する非可逆回路素子を備えたアイソレータを提供できる。
【００２０】
本発明のアイソレータは前記課題を解決するために、前記請求項１〜１１のいずれかに記載の前記第１の線路導体と前記第２の線路導体と前記第３の線路導体にコンデンサ基板が接続され、前記３つの線路導体のうちの１つに抵抗素子が接続され、前記磁性体基板と前記線路導体と前記コンデンサ基板と前記抵抗素子がケース体に収納されてなることを特徴とする。
【００２１】
【発明の実施の形態】
以下に本発明を更に詳細に説明する。
図１〜図６は本発明に係る非可逆回路素子を備えたアイソレータの第１の実施の形態を示すもので、この形態のアイソレータ１は、上ヨーク２と下ヨーク３とで構成される磁気閉回路内に、永久磁石などからなる磁石部材４と強磁性体からなる磁性体基板５と線路導体６、７、８とこれら線路導体６、７、８を接続した共通電極１０と磁性体基板５の周囲に配置されたコンデンサ基板１１、１２と終端抵抗１３とを備えて構成されている。
【００２２】
前記上ヨーク２と下ヨーク３は軟鉄などの強磁性体からなり、図４と図５に示すように４角形状の箱型に形成されている。なお、それらヨークの表裏面にはＡｇメッキなどの導電層が被覆形成されていることが好ましい。また、側面視略コ字型の上ヨーク２は側面視略コ字型の下ヨーク３に嵌め込み自在の大きさとされており、上ヨーク２と下ヨーク３の互いの開口部分を嵌め合わせることで両者を一体として箱型の磁気閉回路を構成することができるように構成されている。
即ち、下ヨーク３は図４に示すように平面視矩形状の底板３ａとこの底板３ａの相対向する２辺側に立設された側壁部３ｂとから構成される側面コ字型に形成されるとともに、上ヨーク２は図５に示すように平面矩形状の天板２ａとこの天板２ａの相対向する２辺側に立設された側壁部２ｂとから構成される側面コ字型に形成され、上ヨーク２の側壁部２ｂ、２ｂと下ヨーク３の側壁部３ｂ、３ｂとを互い違いに配置してヨーク２、３を嵌め合わせることで箱型の磁気閉回路が構成されてるように形成されている。なお、これらのヨーク２、３の形状はこの実施形態の如くコ字型に限るものではなく、複数のヨークで箱型の閉磁器回路を構成するものであれば、任意の形状で差し支えない。
【００２３】
前記の如く嵌め合わされた下ヨーク２と上ヨーク３が囲む空間には、換言すると下ヨーク２と上ヨーク３からなる閉磁気回路内には、先の磁性体基板５と３本の線路導体６、７、８とこれら線路動体６、７、８を接続した共通電極１０とからなる磁性組立体１５が収納されている。
前記磁性体基板５は、フェライト等の強磁性体からなり、図２に示すように平面視横長の略長方形板状とされている。より詳細には、相対向する横長の２つの長辺５ａ、５ａと、これらの長辺５ａ、５ａに直角向きの短辺５ｂ、５ｂと、前記長辺５ａ、５ａの両端部側に位置して各長辺５ａに対して１５０゜の角度で傾斜し（長辺５ａの延長線に対しては３０°の傾斜角度で傾斜し）、個々に先の短辺５ｂに接続する４つの傾斜辺５ｃとから構成される平面視横長の略長方形状とされている。従って磁性体基板５の平面視４つのコーナ部には、それぞれ長辺５ａに対する１５０°傾斜（短辺５ｂに対して１３０°傾斜）の傾斜面（受面）５ｄが形成されている。
【００２４】
また、この磁性体基板５においては、その横方向、即ち長手方向の幅と、その縦方向、即ち長手方向に直交する方向の幅との比、即ち縦横比が２５％（１：４）以上、８０％（４：５）以下の範囲、即ち平面視横長であることが好ましい。なお、ここで、図１に示すものは平面視横長の磁性体基板５であるが、図１を９０゜回転させた横方向から見ると、磁性体基板５は縦長形状となる。よって本発明では、磁性体基板５は横長形状でも縦長形状でも全く等価のものと考える。
【００２５】
先の３本の線路導体６、７、８と共通電極１０は図３の展開図に示すように一体化されてなり、３本の線路導体６、７、８と共通電極１０とを主体として電極部１６が構成されている。この共通電極１０は、平面視先の磁性体基板５とほぼ相似形状の金属板からなる本体部１０Ａから構成されている。即ち、本体部１０Ａは相対向する２つの長辺部１０ａ、１０ａと、これらの長辺部１０ａ、１０ａに直角向きの短辺部１０ｂ、１０ｂと、前記長辺部１０ａ、１０ａの両端部側に位置して各長辺部１０ａに対して１５０°の角度で傾斜し、先の短辺部１０ｂに対しては１３０°の傾斜角度で接続する４つの傾斜部１０ｃとから構成される平面視略長方形（矩形状）とされている。
【００２６】
そして、先の共通電極１０の４つのコーナ部の傾斜部１０ｃのうち、一方の長辺部側の２つの傾斜部１０ｃから第１の線路導体６と第２の線路導体７が延出形成されている。まず、先の２つの傾斜部１０ｃの一方から、第１の基部導体６ａと第１の中央導体６ｂと第１の先端部導体６ｃからなる第１の線路導体６が延出形成される一方、先の傾斜部１０ｃの他方から、第２の基部導体７ａと第２の中央導体７ｂと第２の先端部導体７ｃとからなる第２の線路導体７が延出形成されている。前記基部導体６ａ、７ａはいずれも傾斜部１０ｃを延長するように傾斜部１０ｃと同じ幅に形成されていて、基部導体６ａ、７ａはそれらの中心軸線を共通電極１０の長辺部１０ａに対して１５０゜の傾斜角度で傾斜させて設けられている。次に、前記中央導体６ｂ、７ｂはいずれも共通電極１０の短辺部１０ｂに対して平行に、換言すると基部導体６ａ、７ａの中心軸線（長さ方向）に対して１５０゜の傾斜角度で形成され、更に先端部導体６ｃ、７ｃはいずれも共通電極１０の長辺部１０ａに対して１５０゜傾斜とされている。
これらのことから、接続導体６ａ、７ａの中心軸線どうしがなす角度θ１は図３に示すように６０°とされており、先端部導体６ｃ、６ｃの中心軸線どうしがなす角度θ２は図３に示すように１２０゜とされている。
【００２７】
次に、前記第１の線路導体６の幅方向中央部には、共通電極１０の外周部から基部導体６ａと中央導体６ｂを通過し先端部導体６ｃの基端部まで到達するスリット部１８が形成され、このスリット部１８を形成することにより中央部導体６ｂが２本の分割導体６ｂ１、６ｂ２に分割され、基部導体６ａも２本の分割導体６ａ１、６ａ２に分割され、前記第２の線路導体７の幅方向中央部にも同様のスリット部１９が形成され、このスリット部１９を形成することにより中央部導体７ｂが２本の分割導体７ｂ１、７ｂ２に分割され、基部導体７ａも２本の分割導体７ａ１、７ａ２に分割されている。
前記スリット部１８の共通電極１０側の端部は接続導体６ａを通過して共通電極１０の外周部から若干深い位置まで到達することで凹部１８ａを形成し、第１の線路導体６の線路長を若干長くしているとともに、前記スリット部１９の共通電極１０側の端部も接続導体７ａを通過して共通電極１０の外周部まで到達することで凹部１９ａを形成し、第２の線路導体７の線路長を若干長くしている。
【００２８】
一方、前記共通電極１０の他方の長辺部１０ａ側の中央部に第３の線路導体８が延設されている。この第３の線路導体８は共通電極１０から突出形成された第３の基部導体８ａと第３の中央導体８ｂと第３の先端部導体８ｃとから構成されている。前記第３の基部導体８ａは、共通電極１０の長辺側中央部からほぼ直角に延出形成された２本の短冊状の分割導体８ａ１、８ａ２からなり、２本の分割導体８ａ１、８ａ２の間にはスリット２０が形成されている。前記第３の中央導体８ｂは、先の分割導体８ａ１に接続する平面視Ｌ字状の分割導体８ｂ１と先の分割導体８ａ２に接続する平面視Ｌ字状の分割導体８ｂ２とからなり、分割導体８ｂ１と分割導体８ｂ２は、これら分割導体８ａ１、８ａ２の実質的な導体長を長くするために、互いの中央部を離間するようにして分割導体８ａ１、８ａ２から延設され、分割導体８ｂ１と８ｂ２とから菱形の中央導体８ｂが構成されている。
【００２９】
更に、これらの分割導体８ｂ１、８ｂ２の先端側はＬ字型の第３の先端部導体８ｃに一体化されている。この第３の先端部導体８ｃは、先の分割導体８ｂ１、８ｂ２を一体化して先の分割導体８ａ１、８ａ２と同じ方向に向けて延出形成された接続部８ｃ１とこの接続部８ｃ１に対してほぼ直角方向に延出形成された接続部８ｃ２とから構成されている。
【００３０】
次に、前記共通電極１０の一方の長辺部１０ａ側において、第３の線路導体８の分割導体８ａ１、８ａ２の両側部分には、共通電極１０の長辺部１０ａを一部切り欠く形で３つの凹部１０ｅが形成され、これらの凹部１０ｅを形成することで第３の線路導体８の線路長が若干長くされている。更に、前記共通電極１０の一方の長辺部１０ａにおいて３つの凹部１０ｅのうちの両側２つの凹部１０ｅの外側、換言すると凹部１０ｅと傾斜部１０ｃとの間の部分に、先の分割導体８ａ１、８ａ２と平行な向きに台形型の支持片２１が延出形成されるとともに、共通電極１０の他方の長辺部１０ａ側の中央部にも平面視長方形状の支持片２２が延出形成されている。これら支持片２１、２２はコンデンサ基板１１、１２のアース電極とされており、コンデンサ基板１１、１２の一面に電気的に接続され、更に他面側は後述するように各先端部導体６ｃ、７ｃ、８ｃと電気的に接続されている。
【００３１】
前記の如く構成された共通電極１０は、その本体部１０Ａを磁性体基板５の裏面側（一面側）に添わせ、第１の線路導体６と第２の線路導体７と第３の線路導体８とを磁性体基板５の表面側（他面側）に折り曲げて磁性体基板５に装着され、磁性体基板５とともに磁性組立体１５を構成している。即ち、第１の線路導体６の分割導体６ａ１、６ａ２を磁性体基板５の１つの傾斜面５ｄの縁に沿って折り曲げ、第２の線路導体７の分割導体７ａ１、７ａ２を磁性体基板５の他の１つの傾斜面５ｄの縁に沿って折り曲げ、第３の線路導体８の分割導体８ａ１、８ａ２を磁性体基板５の長辺５ａの縁に沿って折り曲げ、第１の線路導体６の中央導体６ａを磁性体基板５の表面側（他面側）に磁性体基板表面側の対角線に沿って添わせ、第２の線路導体７の中央導体７ｂを磁性体基板５の表面側（他面側）に磁性体基板表面の対角線に沿って添わせ、更に第３の線路導体８の中央導体８ｂを磁性体基板５の表面部の中央部分に沿って添わせることで共通電極１０が磁性体基板５に装着されて磁性組立体１５とされている。
【００３２】
なお、ここで記載されている対角線とは、図２に示すように磁性体基板５を平面視した場合に、各長辺５ａと各短辺５ｂとの延長線が交わる位置を略長方形状の磁性体基板５の頂点と仮定し、これら４つの頂点のうち、対向する頂点どうしを結ぶ線分を対角線Ｌ１、Ｌ２と定義する。
更に、前記導体部８ｂ１、８ｂ２は磁性体基板５の表面側に配置されるが、磁性体基板５の表面側に添わせられる分割導体８ｂ１あるいは分割導体８ｂ２の長さは図２に示す磁性体基板５の縦幅（横長長方形状の磁性体基板５の幅方向に沿う幅）の１０５％以上とすることが好ましい。このようにすることで分割導体８ｂ１、８ｂ２の実質的な導体長を長くして非可逆回路素子としての低周波化と小型化を両立させることが可能となる。
【００３３】
以上のように第１〜第３の線路導体６、７、８を磁性体基板５の表面側に装着することで、図１Ａに示すように第１の線路導体６と第２の線路導体７は個々に磁性体基板５の対角線Ｌ１、Ｌ２に沿って重ねて配置され、第１の中心導体６ｂと第２の中心導体７ｂは磁性体基板５の表面上において平面視１２０゜の傾斜角度で交差されて重ねられている。また、第１〜第３の中心導体６ｂ、７ｂ、８ｂの重なり状態において、第１の中心導体６ｂの分割導体６ｂ１、６ｂ２と、第２の中心導体７ｂの分割導体７ｂ１、７ｂ２とが重ねられた部分は、磁性体基板５の表面側において平面視的に全て位置ずれされて配置され、分割導体６ｂ１、６ｂ２と分割導体７ｂ１、７ｂ２とが重ねられた部分は磁性体基板５の表面上において重ならないように配置されている。
【００３４】
さらに、分割導体６ｂ１、６ｂ２と分割導体７ｂ１、７ｂ２とが重ねられた部分に対してこれらの部分を避けるように第３の中心導体８ｂの分割導体８ｂ１、８ｂ２が配置されている。従って、磁性体基板５の表面上において、分割導体６ｂ１、６ｂ２と分割導体７ｂ１、７ｂ２と分割導体８ｂ１、８ｂ２がこれらの組み合わせのうち、２本重なって配置されることはあっても、３本が重ねられる部分は生じないように配置されている。
なお、図１（Ａ）では略したが、磁性体基板５と第１の線路導体６と第２の線路導体７と第３の線路導体８との間には各々に図１（Ｂ）に簡略的に示すように絶縁シートＺが介在されて各線路導体６、７、８は個々に電気的に絶縁されている。
【００３５】
次に、前記磁性組立体１５は下ヨーク３の底部中央側に配置され、下ヨーク３の底部側の磁性組立体１５の両側部分には平面視細長で先の磁性体基板５の半分程度の厚さの板状のコンデンサ基板１１、１２が収納され、コンデンサ基板１２の一側部側には終端抵抗１３が収納されている。より詳細には、先の磁性組立体１５の磁性体基板５の長さが下ヨーク３の内幅とほぼ同じに形成され、磁性体基板５の幅（長手方向に直交する方向の幅）が下ヨーク３の内幅よりも小さく形成されているので、磁性体基板５を下ヨーク３の内部に図１に示すように平面視横長になるように収納した状態において、磁性体基板５の幅方向両側には図１に示すようにコンデンサ基板１１、１２を収納可能な空間部が形成され、それらの空間部にコンデンサ基板１１、１２と終端抵抗１３が収納されている。
【００３６】
そして、先の第１の線路導体６の先端部導体６ｃを先のコンデンサ基板１１の一側端部に形成されている電極部１１ａに電気的に接続し、先の第２の線路導体７の先端部導体７ｃを先のコンデンサ基板１１の他側端部に形成されている電極部１１ｂに電気的に接続し、先の第３の中央導体８の先端部導体８ｃをコンデンサ基板１２と終端抵抗１３に電気的に接続して磁性組立体１５にコンデンサ１１、１２と終端抵抗１３とが接続されている。なお、終端抵抗１３を接続しなければ、サーキュレータとして作用する。
【００３７】
前記先端部導体７ｃの部分が接続されたコンデンサ基板１１の端部側に非可逆回路素子１としての第１ポートＰ１が形成され、先端部導体６ｃの部分が接続されたコンデンサ基板１１の端部側に非可逆回路素子１としての第２ポートＰ２が形成され、先端部導体８ｃの部分が接続された終端抵抗１３の端部側が非可逆回路素子１としての第３ポートＰ３とされている。
【００３８】
この形態の非可逆回路素子１において、第１ポートＰ１と第２ポートＰ２に沿う方向に平行な方向のコンデンサ基板１１の長手を非可逆回路素子１全体の同方向の長手（換言すると、下ヨーク３の同方向の長さ）の６５％以上、１００％以下とすることが好ましい。この範囲の長さの中でも７５％以上、１００％以下であることがより好ましい。
次に第１ポートと第２ポートに沿う方向に直交する方向においては、コンデンサ基板１１の幅が非可逆回路素子１全体の同方向の長さの（換言すると下ヨーク３の同方向の長さの）１５％以上、４５％以下であることが好ましい。この範囲の幅の中でも３０％以上、４５％以下であることがより好ましい。
【００３９】
また、下ヨーク３と上ヨーク２との間の空間部において磁性組立体１５はその空間部の厚さの半分程を占有する厚さに形成されているので、磁性組立体１５よりも上ヨーク２側の空間部分には、図６にも示すスペーサ部材３０が収納され、該スペーサ部材３０に磁石部材４が設置されている。
先のスペーサ部材３０は、上ヨーク２の内部に収納可能な大きさの平面視矩形板状の基板部３１と、この基板部３１の底部側の４隅の各コーナ部分に形成された脚部３１ａとからなり、基板部３１において脚部３１ａ…が形成されていない側の面（上面）に円型の収納凹部３１ｂが形成され、該収納凹部３１ｂの底面側には基板部３１を貫通する矩形型の透孔３１ｃが形成されている。
【００４０】
そして、先の収納凹部３１ｂに円盤状の永久磁石からなる磁石部材４が嵌め込まれ、この磁石部材４を備えた状態のスペーサ部材３０がそれらの４つの脚部３０ａで先のコンデンサ基板１１、１２とこれらに接続されている第１の先端部導体６ｃ、７ｃ、並びに、終端抵抗１３とこれに接続されている先端部導体８ｃの先端部を下ヨーク３の底部側に押さえ付け、スペーサ部材３０の底部により磁性組立体１５を下ヨーク３の底面側に押さえ付けた状態でヨーク２、３の間に収納されている。
なお、スペーサ部材３０の４つの脚部３１ａにより先のように先端部導体６ｃ、７ｃ、８ｃを押さえ付けることにより第１の線路導体６と第２の線路導体７と第３の線路導体８とに張力を付加した状態でこれらを磁性体基板５の表面側に押さえ付けていると同時に、スペーサ部材３０の底面によりこれら第１の線路導体６と第２の線路導体７と第３の線路導体８を押さえ付けることでこれらを磁性体基板５の表面側に押さえ付け、これにより磁性組立体１６を下ヨーク３の底部側に固定している。
【００４１】
図１〜図６に示す本実施の形態のアイソレータ１は、第１の線路導体６と第２の線路導体７がいずれも磁性体基板５の平面状の受面５ｄ、５ｄを介して折り曲げられ、第３の線路導体８が磁性体基板５の長辺５ａに沿って折り曲げられているので、各線路導体６、７、８における中央導体６ｂ、７ｂ、８ｂの折り曲げ部分が磁性体基板５の表面側において正確な角度、例えば第１の線路導体６と第２の線路導体７においては１２０゜の角度に折り畳まれる。即ち、平面状の受面５ｄの縁の直線部分を介しての折り畳み作業となるので、中央導体６ｂ、７ｂを磁性体基板５の表面側において正確に１２０゜の角度で交差させて折曲することが容易にできるようになる。従って、入力側の線路導体から磁性体基板５に入力された信号を出力側に効果的に伝搬させることができ、低損失でしかも広帯域な通過特性を発揮できる。従って磁性組立体１５の磁気特性として好適なものが確実に得られるようになる。
【００４２】
また、磁性体基板５の表面側に折り畳まれた中央導体６ｂ、７ｂ、８ｂは図１に示すように重ねられるが、この重ねた状態において、中央導体６ｂ、７ｂ、８ｂの各々において２本に分割されている分割導体６ｂ１、６ｂ２、７ｂ１、７ｂ２、８ｂ１、８ｂ２の各々が個々に重ねられる。しかし、これらの分割導体６ｂ１、６ｂ２、７ｂ１、７ｂ２、８ｂ１、８ｂ２の重ねられた部分においてはいずれかの２つの分割導体のみの重ね部とされ、３つの分割導体が重ねられてはいない。これは、２本の中央導体６、７を２分割した上に、中央導体８ｂを広げた状態の２分割構造として中央導体６ｂ、７ｂに対する重ね部分を避けることができるような重ね構造としたためである。
【００４３】
このような重ね構造にすることで３つの分割導体が重なることを避けることができ、これによりスペーサ部材３０の底部で中央導体６ｂ、７ｂ、８ｂを磁性体基板５に押し付ける際に中央導体６ｂ、７ｂ、８ｂの重なり部分を均一に押さえ付けることができる。ここで例えば、分割導体が３本重なる部分が生じると、分割導体が２本重なった部分よりも３本重なった部分の方が厚くなるので、この３本重なった部分にはスペーサ部材３０の強い押し付け力が作用する反面、他の２本重なった部分にはスペーサ部材３０の押し付け力が十分に作用しなくなるので、中央導体６ｂ、７ｂ、８ｂに均等に押さえ付け力を作用させてこれらの全てを均等に支持することができなくなるおそれが高くなる。
【００４４】
また、前述の如く中央導体８ｂの分割導体８ｂ１、８ｂ２を非平行もしくは平行でかつ折曲もしくは湾曲するように分割したことにより、入力側の線路導体から入力された信号を効果的に高周波フェライト製の磁性体基板５上を伝搬させ、出力することができ、広帯域な通過特性を発揮させることができる。
また、低周波化するためには各線路導体６、７、８を長くしてインダクタンスを大きくする必要があるが、本発明においては、第３の中心導体８ｂにおいて、第３の線路導体８が長さ方向中央部側において互いに離れる方向に折曲（屈曲）もしくは湾曲されてなるが、もしくは、互いに平行でかつ折曲もしくは湾曲されてなるが、これにより第３の線路導体８の長さが実質的に長くなって、インダクタンスが大きくなり、低周波化と小型化を両立することができる。
【００４５】
次に、本実施の形態では電極部１６の本体部１０Ａを磁性体基板５とほぼ同じ平面視形状としてあるが、このようにすることで本体部１０Ａがその下に位置する下ヨーク３に広い面積で接触できるので抵抗が低くなり、損失を小さくすることができる。
【００４６】
次に、先に説明したごとく第１の線路導体６と第２の線路導体７と第３の線路導体８の各々の付け根の部分には、凹部１８ａ、１９ａ、１０ｅが形成されており、各線路導体の線路長が若干長くされているので、各中心導体６、７、８のインダクタンスが大きくなり、共振容量の面積を小さくできる、換言するとコンデンサ基板１１、１２の面積を小さくできる効果があり、非可逆回路素子１としての全体の小型化に寄与する。
【００４７】
図７Ａは、先の実施の形態のアイソレータ１が組み込まれる携帯電話装置の回路構成の一例を示すもので、この例の回路構成においては、アンテナ４０にアンテナ共振器４１が接続され、アンテ共振器４１の出力側にローノイズアンプ（増幅器）４２とフィルタ４８と選択回路４３を介して受信回路４４が接続され、アンテナ共振器４１の入力側に先の実施の形態のアイソレータ１とパワーアンプ（増幅器）４５と選択回路４６を介して送信回路４７が接続され、選択回路４３、４６に分配トランス４９が接続されて構成されている。
先の構成のアイソレータ１は図７Ａに示すような携帯電話装置の回路に組み込まれて使用され、アイソレータ１からアンテナ共振器４１側への信号は低損失で通過させるが、その逆方向の信号は損失を大きくして遮断するように作用する。これにより、増幅器４５側のノイズ等の不要な信号を増幅器４５側に逆入力させないという作用を奏する。
【００４８】
図７Ｂは図１から図６に示した構成のアイソレータ１の動作原理を示すものである。図７Ｂに示す回路に組み込まれているアイソレータ１は、符号▲１▼で示す第１ポートＰ１側から符号▲２▼で示す第２ポートＰ２方向への信号は伝えるが、符号▲２▼の第２ポートＰ２側から符号▲３▼の第３ポートＰ３側への信号は終端抵抗１３により減衰させて吸収し、終端抵抗１３側の符号▲３▼で示す第３ポートＰ３側から符号▲１▼で示す第１ポートＰ１側への信号は遮断する。
従って図７（Ａ）に示す回路に組み込んだ場合に先に説明した効果を奏することができる。
【００４９】
図８は、本発明に係る第２の実施の形態の非可逆回路素子に適用される電極部３５を示すもので、この形態の電極部３５において先の実施の形態の電極部１６と同じ構成要素には同一の符号を付してそれらの部分の説明を省略する。
この形態の電極部３５において先の実施の形態の電極部１６と異なるのは、第１の線路導体６と第２の線路導体７において共通電極１０の本体部１０Ａに対する付け根の部分の各々に前記第１の基部導体６ａと同じ程度の長さ（深さ）の凹部１０ｆを各々形成し、各線路導体６、７の線路長を更に長く形成した点に特徴がある。また、第３の線路導体８の付け根の部分にも先の凹部１０ｆと同等の長さ（深さ）の凹部１０ｇを形成することで第３の線路導体８の線路長も更に長くされている。
【００５０】
この図の実施の形態の如く、共通電極１０の本体部１０Ａに先の実施の形態よりも更に深い凹部１０ｆ、１０ｇを形成して線路導体６、７、８の実効の線路長を長くした構造を採用しても良い。この場合、凹部１０ｆ、１０ｇを形成した部分側まで絶縁層を配置し、各線路導体６、７、８を磁性体基板５の裏面側において個々に絶縁する構成とする必要がある。また、線路導体８は後述する実施の形態のごとく分割導体８ｂ１、８ｂ２を平行に、かつ、折曲もしくは湾曲して形成させても良い。
以上の構造を採用することで、中心導体６、７、８のインダクタンスが更に大きくなるので、共振容量の面積を小さくできる、換言するとコンデンサ基板１１、１２の面積を小さくできる効果があり、非可逆回路素子１としての全体の小型化に寄与する。
【００５１】
図は、本発明に係る第３の実施の形態の非可逆回路素子に適用される電極部３６を示すもので、この形態の電極部３６において先の第１の実施の形態の電極部１６と同じ構成要素には同一の符号を付してそれらの部分の説明を省略する。
この形態の電極部３６において先の実施の形態の電極部１６と異なるのは、第３の線路導体８０の中央導体８０ｂが分割導体８０ｂ１と８ｂ２に分割されている点であり、分割導体８０ｂ１は分割導体８ｂ２と非平行ではなく、分割導体８ｂ２に平行になるように屈曲されている。従って第３の中央導体８０ｂはＬ字型に形成されている。なお、第３の中央導体８０ｂは折曲（屈曲）された形状に記載されているが、湾曲された形状あるいは折り曲げ部分にアールが付けられた形状でも良いのは勿論である。更にこれらの分割導体はＬ字型に限らず、ジグザグ状、波形等に折曲された形状でも良いのは勿論である。
このような形状とした分割導体８０ｂ１、８ｂ２を備えた第３の線路導体８０を備えた構造であっても、線路導体８０ｂの実質的な導体長を長くして非可逆回路素子としての低周波化と小型化を両立させることができる。
【００５２】
図１０は本発明に係る非可逆回路素子（アイソレータ）の第４の実施の形態を示すもので、この形態のアイソレータ５０は、上ヨーク５１と下ヨーク５２とからなる閉磁気回路の内部に、換言すると、上ヨーク５１と下ヨーク５２の間に、４角板状の永久磁石からなる磁石部材５５とスペーサ部材５６と磁性組立体５７とコンデンサ板５８、５９、６０と終端抵抗６１とこれらを収容する樹脂ケース６２とを収容して構成されている。
前記磁性組立体５７は先の第１の実施の形態の電極部１６と同等の電極部１６が平面視略長方形状の磁性体基板６５に巻き付けられて構成されている。この磁性体基板６５は先の形態の横長の磁性体基板５とほぼ同じ形状であるが若干正方形状に近い長方形板状とされている。
図１０に示す構造のアイソレータ５０においても先の実施の形態のアイソレータ１と同等の効果を得ることができる。
【００５３】
図１１は磁性体基板の他の形態を示すもので、この形態の磁性体基板６０は平面視略長方形状で４つの角部にＬ字型の切欠状の受部６１を有する形状とされ、１つの受部６１を構成する２つ平面のうちの一方の平面が線路導体６を折り返すための受面６１ａとされ、他の１つの受部６１を構成する２つ平面のうちの一方の平面が線路導体７を折り返すための受面６１ｂとされ、これらの受面６１ａ、６１ｂにより電極部１６の第１の中央導体６ｂと第２の中央導体７ｂとが正確に折り返されるように構成されている。
この形態の磁性体基板６０においても平面視横長の略長方形状とされ、詳細には、相対向する長辺６０ａ、６０ａとそれらに直角方向に延在された短辺６０ｂ、６０ｂと先に説明した受部６１を構成する２つの辺とから平面視略長方形状の磁性体基板６０が構成されている。
この磁性体基板６０を用いることでも先の第１の実施の形態の場合と同様の効果を得ることができる。
【００５４】
図１２は磁性体基板の更に他の例を示すもので、この形態の磁性体基板７０は平面視略長方形状で４つの角部に平面状の受部７１を有し、短辺側が曲線とされた略レーストラック形状とされている。この形状も本発明においては略長方形状の概念に含めるものとする。より詳細には、磁性体基板７０は相対向する長辺７０ａ、７０ａとこれらの長辺７０ａ、７０ａの端部どうしを接続する楕円弧状の短辺７０ｂ、７０ｂとからなり、長辺７０ａ、７０ａの端部に形成された平面状の受部７１、７１と長辺７０ａにより先に説明した電極部１６の第１の中央導体６ｂと第２の中央導体７ｂと第３の中央導体８を正確に折り返しできるように構成されている。
この磁性体基板７０を用いることでも先の第１の実施の形態の場合と同様の効果を得ることができる。
【００５５】
【発明の効果】
以上説明したように本発明は、第１と第２の中心導体を平行な２辺を有する略長方形状の磁性体基板の一面側から表面側にかけて受面を介して折曲して巻き込んでいるので、中心導体を受面の縁を介して正確な位置で確実に折曲して磁性体基板の表面側に巻き込むことができる結果、磁性体基板に対して中心導体を確実な位置に設置できる。即ち、中心導体を受面の縁を介して折り曲げる結果、中心導体の折り曲げ加工に伴う変形も抑制されるので、各中心導体を所定の角度で磁性体基板に対して折り曲げることができる。
よって特性が良好で安定化された高品質の非可逆回路素子が得られ、磁性組立体を備えた非可逆回路素子としての組立作業の生産性も向上する。
【００５６】
また、本発明により、線路導体の付け根の部分に対応する共通電極の周縁部に凹部を刻設することで線路導体の見かけの線路長を長くすることができる。線路導体の線路長が長くなることで線路導体のインダクタンスが大きくなり、共振容量が相対的に小さくなるので非可逆回路素子の小型化に寄与する。また、同じインダクタンスを確保するならば磁性体基板の面積を小さくできる結果、非可逆回路素子の小型化に寄与する。
更に本発明により、共通電極の全体形状を磁性体基板に近い形状とすることで共通電極を磁性体基板の裏面側に収まりよく配置できる。
【００５８】
本発明において、分割導体どうしの重ねられた部分が平面視的に位置ずれされて配置される場合、磁性体基板の他面側において分割導体が平面視的に均等に収まり良く配置される。更に、第１の線路導体と第２の線路導体と第３の線路導体の分割導体どうしの重なり部分の全てが平面視的に位置ずれされていると、分割導体どうしが３本重ねられる部分が発生しないので、磁性体基板の他面側において分割導体の２本重なり部分と３本重なり部分の発生に起因する凹凸の発生が少なくなり、磁性体基板他面側における凹凸が少なくなる。
【００５９】
本発明においてコンデンサ基板のうち、少なくとも１つを複数の線路導体に接続する共通のコンデンサ基板とすることで大きな容量を小さいなコンデンサ占有体積で稼ぐことができ、非可逆回路素子としての小型化に寄与する。
【図面の簡単な説明】
【図１】  図１Ａは本発明の第１の実施の形態に係るアイソレータの一部分を取り除いた状態を示す平面図、図１Ｂは同アイソレータの断面図である。
【図２】  図２は本発明に係るアイソレータに用いられる磁性体基板の一例を示す平面図。
【図３】  図３は本発明に係るアイソレータに用いられる電極部の展開図である。
【図４】  図４Ａは本発明に係るアイソレータの下ヨークを示す平面図、図４Ｂは同下ヨークの側面図である。
【図５】  図５は同アイソレータの上ヨークを示す側面図である。
【図６】  図６は同アイソレータに備えられるスペーサ部材の一例を示す斜視図である
【図７】  図７Ａはこの種のアイソレータが備えられる電気回路の一例を示す図、図８Ｂはアイソレータの動作原理を示す図である。
【図８】  図８は本発明に係るアイソレータの電極部の第２の例を示す図である。
【図９】  図９は本発明に係るアイソレータの電極部の第３の例を示す図である。
【図１０】  図１０は本発明に係るアイソレータの他の実施の形態を示す分解斜視図である。
【図１１】  図１１は本発明に係るアイソレータに適用される磁性体基板の他の例を示す平面図である。
【図１２】  図１２は本発明に係るアイソレータに適用される磁性体基板の別の例を示す平面図である。
【図１３】  図１３は従来の磁性組立体の一例を示す斜視図である。
【図１４】  図１４は従来の磁性組立体に適用されている電極部の展開図である。
【符号の説明】
１…アイソレータ、２…上ヨーク、３…下ヨーク、４…磁石部材、５…磁性体基板、５ｄ…受面、６…第１の線路導体、６ｂ…第１の中央導体、６ｂ１、６ｂ２…第１の分割導体、７…第２の線路導体、７ｂ…第２の中央導体、７ｂ１、７ｂ２…第２の分割導体、８…第３の線路導体、８ｂ…第３の中央導体、８ｂ１、８ｂ２…第３の分割導体、１０ｅ…凹部、１０ｆ、１０ｇ…凹部、１１、１２…コンデンサ基板、１３…終端抵抗、１６…電極部、１８、１９…スリット部、１８ａ、１９ａ…凹部、３０…スペーサ部材、４０…電極部、５０…アイソレータ、６０、７０…磁性体基板、Ｌ１、Ｌ２…対角線。
【図１】
0003676996.tif 000002
【図２】
0003676996.tif 000003
【図３】
0003676996.tif 000004
【図４】
0003676996.tif 000005
【図５】
0003676996.tif 000006
【図６】
0003676996.tif 000007
【図７】
0003676996.tif 000008
【図８】
0003676996.tif 000009
【図９】
0003676996.tif 000010
【図１０】
0003676996.tif 000011
【図１１】
0003676996.tif 000012
【図１２】
0003676996.tif 000013
【図１３】
0003676996.tif 000014
【図１４】
0003676996.tif 000015